(57)【特許請求の範囲】
【請求項１】
方形のエバポレータ（３）をユニットケース（２）内に横置きに配置する構造であって、前記ユニットケース（２）の周側壁内面にエバポレータ（３）の下側周縁部に係合して該エバポレータ（３）を支持する段部（１４），（１７）を形成すると共に、エバポレータ（３）の冷媒配管（２２）を接続する側の側部の下縁部に対応する段部（１７）には、その立上がり壁（１８）とエバポレータ（３）の前記側部との間に、冷媒配管（２２）の接続方向に所要のクリアランス（Ｓ）を設定したことを特徴とする空気調和装置のエバポレータ取付構造。
【請求項２】
ユニットケース（２）には、エバポレータ（３）の冷媒配管（２２）を接続する側の側部と反対側の側部の上縁部に係合する段部（１６）を形成したことを特徴する請求項１記載の空気調和装置のエバポレータ取付構造。
【請求項３】
エバポレータ（３）は一側部に冷媒タンク（１１）を備えていると共に、該冷媒タンク（１１）にはユニットケース（２）の周側壁に設けた開口（１０）に配置されて冷媒配管（２２）が接続される膨張弁（１２）を組付けてあることを特徴とする請求項１，２記載の空気調和装置のエバポレータ取付構造。
【請求項４】
エバポレータ（３）の冷媒配管（２２）を接続する側の側部には、その下縁部に対応する段部（１７）の立上がり壁（１８）と対向する部分に、該立上がり壁（１８）とエバポレータ（３）の側部との間のクリアランス（Ｓ）を埋める弾性材からなるクッション材（１９）を貼設したことを特徴とする請求項１〜３の何れかに記載の空気調和装置のエバポレータ取付構造。
【発明の詳細な説明】
【０００１】
【発明の属する技術分野】
本発明は自動車等の車両に搭載される空気調和装置のエバポレータ取付構造に関する。
【０００２】
【従来の技術】
自動車用空気調和装置の中には、車室内への搭載レイアウトの関係でエバポレータをユニットケース内に横置きに配置したものが知られている。
【０００３】
【発明が解決しようとする課題】
エバポレータはユニットケース内に固定的に配設してあって該ユニットケースは車室内に搭載される一方、冷媒配管はコンプレッサやコンデンサおよびリキッドタンク等の機能部品と共に予めエンジンルーム内に配索してあり、ユニットケースを車室内に搭載した後にエンジンルーム側からダッシュパネルを貫通して該冷媒配管をユニットケース内のエバポレータに接続する関係上、冷媒配管の接続側端部とエバポレータの配管接続部との間に前後方向のずれが生じていると、該冷媒配管を配索調節し直すか、あるいはユニットケースを前後方向にずらして搭載位置の調節を行う必要があって、これら冷媒配管とエバポレータとの接続作業に多くの手間と労力とを要してしまう。
【０００４】
そこで、本発明はエンジンルーム内に配索した冷媒配管の接続側端部と、車室内に搭載したユニットケース内に横置きに配置したエバポレータの配管接続部との間にそれらの接続方向にずれが生じていても、冷媒配管の配索調節やユニットケースの搭載位置調節を伴うことなくこれら冷媒配管とエバポレータとを適切に接続することができる空気調和装置のエバポレータ取付構造を提供するものである。
【０００５】
【課題を解決するための手段】
請求項１にあっては、方形のエバポレータをユニットケース内に横置きに配置する構造であって、前記ユニットケースの周側壁内面にエバポレータの下側周縁部に係合して該エバポレータを支持する段部を形成すると共に、エバポレータの冷媒配管を接続する側の側部の下縁部に対応する段部には、その立上がり壁とエバポレータの前記側部との間に、冷媒配管の接続方向に所要のクリアランスを設定したことを特徴としている。
【０００６】
請求項２にあっては、請求項１に記載のユニットケースには、エバポレータの冷媒配管を接続する側の側部と反対側の側部の上縁部に係合する段部を形成したことを特徴としている。
【０００７】
請求項３にあっては、請求項１，２に記載のエバポレータは一側部に冷媒タンクを備えていると共に、該冷媒タンクにはユニットケースの周側壁に設けた開口に配置されて冷媒配管が接続される膨張弁を組付けてあることを特徴としている。
【０００８】
請求項４にあっては、請求項１〜３に記載のエバポレータの冷媒配管を接続する側の側部には、その下縁部に対応する段部の立上がり壁と対向する部分に、該立上がり壁とエバポレータの側部との間のクリアランスを埋める弾性材からなるクッション材を貼設したことを特徴としている。
【０００９】
【発明の効果】
請求項１によれば、エバポレータの冷媒配管を接続する側の側部と、該側部に対応するユニットケースの段部の立上がり壁との間には所要のクリアランスを設定してあるため、冷媒配管の接続側端部とエバポレータの配管接続部との間に配管接続方向にずれが生じていても、前記クリアランスの範囲でエバポレータのずれ動きが許容されて前記ずれを吸収でき、従って、冷媒配管の配索調節やユニットケースの搭載位置調節を伴うことなくこれら冷媒配管とエバポレータとを適切に接続することができる。
【００１０】
請求項２によれば、請求項１の効果に加えて、冷媒配管の接続による押し込みに対してエバポレータの後退を該エバポレータの配管接続側と反対側の側部の上縁部に係合する段部で規制するため、ユニットケース内におけるエバポレータの適正な取付位置を確保することができる。
【００１１】
請求項３によれば、請求項１，２の効果に加えて、エバポレータの冷媒タンクには膨張弁を組付けてあるためエバポレータユニットをコンパクトに構成できることは勿論、冷媒配管を該膨張弁に接続すればよいので配管レイアウトを容易に行えると共に、配管接続作業を簡単にすることができる。
【００１２】
また、この冷媒タンクとユニットケースの段部の立上がり壁との間に前記のクリアランスガ設定されるから、冷媒流動に起因する冷媒タンクの振動がユニットケースに伝達されるのを回避することができる。
【００１３】
請求項４によれば、請求項１〜３の効果に加えて、ユニットケースの段部の立上がり壁とエバポレータの側部との間に設定されたクリアランスを、該エバポレータの側部に貼設したクッション材で埋めてあるため、エバポレータを組み込んだユニットの輸送、搬送時にエバポレータの不用意なずれ動きを抑制し、かつ前記立上がり壁とエバポレータ側部との相互干渉による損傷を未然に防止することができる。
【００１４】
【発明の実施の形態】
以下、本発明の一実施形態を図面と共に詳述する。
【００１５】
図４は熱交換器ユニットを示し、熱交換器ユニット１はユニットケース２内にエバポレータ３と、その上側にヒータコア４とをそれぞれ横置きにして上下方向に多段に配置してある。
【００１６】
エバポレータ３とヒータコア４との配設部分は上下に隔成してあって、図外のブロワユニットからユニットケース２の一側壁に設けたブロア接続口６に送風されてくる空気を、図１の矢印で示すようにエバポレータ３の上側から下側に向かって流通させて冷却し、この冷却された空気をユニットケース２の後側壁に沿って形成した空気通路５に上向きに流通させるようにしてある。
【００１７】
この空気通路５を上向きに流通する空気はヒータコア４の下側にバイパスして該ヒータコア４の下側から上側に向けて流通し得るようになっていて、エバポレータ３および又はヒータコア４によって温度調節された空気は、ユニットケース２の上壁に設けたベント吹出口７又はデフロスタ吹出口８、あるいはユニットケース２の両側壁の上部に設けたフット吹出口９から図外の各種ダクトへ供給されるようになっている。
【００１８】
前記ヒータコア４への空気のバイパス流通、および各種吹出口７，８，９からの空気の吹出しは、図外の各種ドアの配風制御によって行われる。
【００１９】
前記エバポレータ３は図１〜３に示すように方形に形成されてその一側部に冷媒タンク１１を付設した公知のラミネート式片タンクタイプのものが用いられており、冷媒タンク１１のアッパタンク１１ａには膨張弁２を組付けてある。
【００２０】
本実施形態では前記ユニットケース２は略水平なパーティングラインを境にしてアッパケース２Ａとロアケース２Ｂとに分割して構成してあり、エバポレータ３はこれらアッパケース２Ａとロアケース２Ｂとのパーティングラインを跨ぐように若干前傾した状態でユニットケース２内に横置きに配置してある。
【００２１】
また、このようにエバポレータ３をユニットケース２内に前傾状態に定置するために、アッパケース２Ａ及びロアケース２Ｂの左右両側壁の内面に、エバポレータ３の左右両側部の上下縁部に係合する前方斜め下方に傾斜した段部１３，１４を形成してあると共に、アッパケース２Ａには段部１３の前後端部に連なってエバポレータ３の前後側部の上縁に係合する段部１５，１６を、およびロアケース２Ｂには段部１４の前端部に連なってエバポレータ３の前側部の下縁に係合する段部１７を形成してある。
【００２２】
アッパケース２Ａの前側の段部１５は、後述するようにエバポレータ３の前後方向のずれ動きに支障とならないように、該エバポレータ３の上面のみを押える形状としてある。
【００２３】
エバポレータ３は冷媒タンク１１を付設した側部を前方に向けて、アッパケース２Ａ側の段部１３，１５，１６と、ロアケース２Ｂ側の段部１４，１７とで上下方向に挾持した状態に定置して、膨張弁１２がユニットケース２の前側壁に設けた開口１０に臨むように横置きに配置されるが、ここで、前記ロアケース２Ｂの前側の段部１７の立上がり壁１８と、エバポレータ３の前側部、具体的には冷媒タンク１１のロアタンク１１ｂとの間には前後方向に所要のクリアランスＳを設定してある。
【００２４】
また、このロアタンク１１ｂの前側面の左右両側部には前記立上がり壁１８との間のクリアランスＳを埋めて、該立上がり壁１８とロアタンク１１ｂとの相互干渉を回避するスポンジゴム等の弾性材からなるクッション材１９を貼設してある。
【００２５】
このクッション材１９は後述するエバポレータ３の前後方向のずれ動きによってロアタンク１１ｂと立上がり壁１８との間で圧縮された場合に、その反力が該エバポレータ３のずれ動きに支障を与えないように弾性係数が適宜に設定されている。
【００２６】
ロアタンク１１ｂはアッパタンク１１ａと共に側面半円形に形成してあるため、該ロアタンク１１ｂに対向する前記立上がり壁１８はこのロアタンク１１ｂの前側面形状に合わせて円弧状に形成してある。
【００２７】
エバポレータ３の冷媒タンク１１を付設した前側部を除く左右両側部と後側部とに亘る周側部にはシート状のインシュレータ２０を貼設してあり、このインシュレータ２０をエバポレータ３の周側部とユニットケース２の左右両側壁との間、および段部１３，１６，１４のそれぞれとの間で圧縮変形させて、該インシュレータ２０を介してエバポレータ３をユニットケース２の周側壁に防振支持してある。
【００２８】
このインシュレータ２０は前述のように圧縮変形されて優れた防振性と、ユニットケース２の内面との間に適度の摩擦力とが得られるように、その弾性係数および厚み寸法が任意に設定されている。
【００２９】
エバポレータ３の前側部の上面周縁部にはアッパケース２Ａの前側の段部１５の下面に密接するシール部材２１を貼設して、エバポレータ３の上面側からくる空気を確実に熱交換用フィン部分に送るようにシールしている。
【００３０】
ロアケース２Ｂの底部は、エバポレータ３の表面に発生して滴下する凝縮水を集合させてケース外にドレーンし易いように傾斜成形してある。
【００３１】
以上の実施形態の構造によれば、熱交換器ユニット２１を車室Ｒ内に搭載した後に、エンジンルームＥ・Ｒ内に配索した冷媒配管２２の接続側端部を、エンジンルームＥ・Ｒ内側からこれら車室ＲとエンジンルームＥ・Ｒとを隔成しているダッシュパネル２３に設けた貫通孔２４を通して、ユニットケース２内に横置きに配置したエバポレータ３の前側の冷媒タンク１１に組付けた膨張弁１２に接続する。
【００３２】
これら冷媒配管２２の接続側端部とエバポレータ３の膨張弁１２との間には、冷媒配管２２の長さ寸法誤差や配索誤差と、熱交換器ユニット１の取付誤差等によって前後方向にずれが生じ易い傾向にあり、これら両者が接続上許容される離間寸法よりも離れてしまうような場合には、通常では冷媒配管２２を配索し直すか、あるいは熱交換器ユニット１を搭載し直す必要が生じる。
【００３３】
ところが、本実施形態の構造によれば前述のようにエバポレータ３の前側部に付設した冷媒タンク１１のロアタンク１１ｂの前面と、ユニットケース２のロアケース２Ｂの前側に形成した段部１７の立上がり壁１８との間には所要のクリアランスＳを設定してあるため、前記冷媒配管２２の接続側端部と冷媒タンク１１のアッパタンク１１ａに組付けた膨張弁１２とが接続上許容される離間寸法よりも離れていても、前記クリアランスＳの範囲でエバポレータ３を前方へずれ動かして前記寸法誤差を吸収することができる。
【００３４】
この結果、冷媒配管２２の配索調節や熱交換器ユニット１の搭載位置調節を伴うことなくこれら冷媒配管２２と膨張弁１２とを適切に接続することができる。
【００３５】
特に、本実施形態ではエバポレータ３をユニットケース２内に前後方向にずれ動き可能に配設してあっても、エバポレータ３の後側部の上縁部がアッパケース２Ａの後側に設けた段部１６に係合して、冷媒配管２２の接続による押し込みに対してエバポレータ３の後退をこの段部１６で規制するため、ユニットケース２内におけるエバポレータ３の適正な取付位置を確保することができる。
【００３６】
また、エバポレータ３の前側部に付設した冷媒タンク１１ｂのアッパタンク１１ａには、前述のように予め膨張弁１２を組付けてあるためエバポレータユニットをコンパクトに構成できることは勿論、冷媒配管２２をこの膨張弁１２に接続すればよいので配管レイアウトを容易に行えると共に、配管接続作業を簡単にすることができる。
【００３７】
更に、前記ユニットケース２の段部１７の立上がり壁１８とロアタンク１１ｂとの間に設定されたクリアランスＳを、該ロアタンク１１ｂの前側面に貼設したクッション材１９で埋めてあるため、熱交換器ユニット１の輸送、搬送時等にエバポレータ３の不用意な前後方向のずれ動き抑制し、かつ、前記立上がり壁１８とロアタンク１１ｂとの相互干渉による損傷を未然に防止することができる。
【図面の簡単な説明】
【図１】本発明の一実施形態の側面から見た断面図。
【図２】同実施形態の正面から見た断面図。
【図３】同実施形態のエバポレータの斜視図。
【図４】同実施形態の外観斜視図。
【符号の説明】
２  ユニットケース
３  エバポレータ
１０  ユニットケース前側壁の開口
１１  冷媒タンク
１２  膨張弁
１４，１６，１７  段部
１８  立上がり壁
１９  クッション材
２２  冷媒配管
Ｓ  クリアランス
【図１】
0003850525.tif 000002
【図２】
0003850525.tif 000003
【図３】
0003850525.tif 000004
【図４】
0003850525.tif 000005